(57)【特許請求の範囲】
【請求項１】
シャフト挿通用スリーブを有する複数枚の羽根と、前記複数枚の羽根のスリーブに抜脱可能に挿入されたシャフトとからなる蝶番において、
前記シャフトは前記スリーブから延出する両端部に前記スリーブからの抜け止め手段を有し、前記両端部のうちの少なくとも一端部における前記抜け止め手段が前記一端部において前記シャフト周りに延びる溝と、前記シャフトの径方向外方から前記溝に離脱可能に嵌合している環状部を備えた金属線からなるばね部材とからなり、前記環状部はその内径が前記溝におけるシャフトの径とほぼ同じかそれよりも小さく、弾性変形して前記シャフトの径よりも大きくなり得るように形成されており、前記ばね部材はさらに、前記環状部を弾性変形させるために前記環状部の内径よりも大きく離間する一対の端部を有する操作部と、前記環状部から前記シャフトの周面を越えて前記周面の外にまで延び８の字を画くように曲げることによって形成された折曲部とを有していることを特徴とする前記蝶番。
【発明の詳細な説明】
【０００１】
【発明の属する技術分野】
この発明は、シャフトを抜脱することが可能な蝶番に関する。
【０００２】
【従来の技術】
従来、シャフト挿通用スリーブを有する複数枚の羽根と、そのスリーブに通されたシャフトとからなる蝶番は周知である。また、スリーブに対してシャフトを繰り返し挿入・抜脱できる蝶番もよく知られている。
【０００３】
【発明が解決しようとする課題】
この発明は、シャフトの挿入・抜脱を繰り返すことができる蝶番において、その繰り返しが容易となるように改良を施すことを課題にしている。
【０００４】
【課題を解決するための手段】
前記課題解決のために、この発明が対象とするのは、シャフト挿通用スリーブを有する複数枚の羽根と、前記複数枚の羽根のスリーブに抜脱可能に挿入されたシャフトとからなる蝶番である。
【０００５】
かかる蝶番において、この発明が特徴とするところは、次のとおりである。
【０００６】
前記シャフトは、前記スリーブから延出する両端部に前記スリーブからの抜け止め手段を有する。前記両端部のうちの少なくとも一端部における前記抜け止め手段は、前記一端部において前記シャフト周りに延びる溝と、前記シャフトの径方向外方から前記溝に離脱可能に嵌合している環状部を備えた金属線からなるばね部材とからなる。前記環状部は、その内径が前記溝におけるシャフトの径とほぼ同じであるかそれよりも小さく、弾性変形して前記シャフトの径よりも大きくなり得るように形成されている。前記ばね部材はさらに、前記環状部を弾性変形させるために前記環状部の内径よりも大きく離間する一対の端部を有する操作部と、前記環状部から前記シャフトの周面を越えて前記周面の外にまで延び８の字を画くように曲げることによって形成された折曲部とを有している。
【０００８】
【発明の実施の形態】
添付の図面を参照し、この発明に係る蝶番の詳細を説明すると、以下のとおりである。
【０００９】
図１に斜視図で示された蝶番１は、仮想線の固定枠２に取り付けられる上部羽根３と、仮想線の扉４に取り付けられる下部羽根６と、これらの羽根３，６に形成されたシャフト挿通用スリーブ７，８に通されたシャフト９とを有する。シャフト９は、下部羽根６のスリーブ８から下方へ延びてシャフト９の下端部を形成する延出部１１と、延出部１１の反対端にあって上部羽根３のスリーブ７の外に位置し、シャフト９の上端部を形成する頭部１２と、延出部１１と頭部１２との間に位置してスリーブ７，８に納まる中間部１３とを有する。延出部１１には、シャフト９の周り方向へ延びる溝であって、好ましくはシャフト９を一周する溝１６が形成されており、その溝１６にはストッパー用ばね部材１７がシャフト９の径方向外方から嵌合している。シャフト９は、頭部１２の径がスリーブ７の径よりも大きく作られている。また、ばね部材１７は金属線を曲げることによって形成されており、シャフト９の周面から外へ張り出している操作部１８と折曲部１９とを有し、これら両部１８，１９がスリーブ８の外側に位置している。こうした頭部１２とばね部材１７とを有するシャフト９は、これらのスリーブ７，８から抜けることがない。
【００１０】
図２は、シャフト９の部分斜視図である。ばね部材１７は、操作部１８と、折曲部１９と、これら両部１８と１９との間に位置する環状部２１とを有する。かかるばね部材１７では、折曲部１９と環状部２１とで８の字を画くように金属線が曲げられ、その金属線の両端部は環状部２１の内径よりも大きな間隔Ｗを有し指先によって動かすことができる操作部１８となるように適宜の角度に曲げられる。環状部２１の内径は溝１６におけるシャフト９の径とほぼ同じかそれよりも小さく、溝１６の内側において環状部２１がシャフト９に側方から接している。操作部１８を２本の指で強く摘まんで操作部１８どうしの間隔Ｗを小さくすると、金属線が弾性変形して環状部２１の内径がシャフト９の径よりも大きくなるので、ばね部材１７をシャフト９から外すことができる。ばね部材１７が外れたシャフト９は、スリーブ７，８から抜くことができる。ただし、溝１６に嵌合しているばね部材１７では、操作部１８と折曲部１９とが環状部２１からシャフト９の径方向へ延びてシャフト９の周面１０の外へ張り出すことによって、これら操作部１８と折曲部１９とを含むばね部材１７の全長Ｐがスリーブ８の内径よりも大きくなり、シャフト９がスリーブ７，８から抜けることを防いでいる。かようにして、この蝶番１では、溝１６とばね部材１７とがシャフト９の一端部において抜け止め手段として機能している。
【００１１】
図３は、ばね部材１７の斜視図であって、並列した操作部１８を仮想線の如く互いに接近させると環状部２１が弾性変形してその内径が大きくなることを示している。図４〜９は、ばね部材１７の詳細を同一尺度で示すもので、図４は正面図、図５は背面図、図６は左側面図、図７は右側面図、図８は平面図、図９は底面図である。
【００１２】
この発明は、シャフト９の一端部に頭部１２を有し、もう一端部にばね部材１７を有する図示例の蝶番１に代えて、シャフト９の両端部にばね部材１７を有する蝶番で実施することもできる。また、シャフト９の溝１６を浅く作り、環状部２１の外周部分が溝１６の外へスリーブ８の内径を越えるところにまで張り出すようにすることで、環状部２１をシャフト９の抜けを防ぐストッパーにすることもできる。シャフト９を一周する一条の溝１６は、シャフト９の径を挟んで周面１０の互いに反対側に位置する二条の平行な溝に代えることもできる。
【００１３】
【発明の効果】
この発明に係る蝶番は、スリーブから延出するシャフトの少なくとも一端部に形成された溝に対して弾性変形して嵌合・離脱するばね部材を有し、これらの溝とばね部材とがシャフトの抜け止め手段として作用するから、シャフトをスリーブに対して挿入したり抜脱したりすることの繰り返しが容易である。
【図面の簡単な説明】
【図１】蝶番の斜視図。
【図２】シャフトの部分斜視図。
【図３】ばね部材の斜視図。
【図４】ばね部材の正面図。
【図５】ばね部材の背面図。
【図６】ばね部材の左側面図。
【図７】ばね部材の右側面図。
【図８】ばね部材の平面図。
【図９】ばね部材の底面図。
【符号の説明】
１      蝶番
３      羽根
６      羽根
７      スリーブ
８      スリーブ
９      シャフト
１１      端部
１６      溝
１７      ばね部材
１８      操作部
１９      折曲部
２１      環状部
【図１】
0003735564.tif 000002
【図２】
0003735564.tif 000003
【図３】
0003735564.tif 000004
【図４】
0003735564.tif 000005
【図５】
0003735564.tif 000006
【図６】
0003735564.tif 000007
【図７】
0003735564.tif 000008
【図８】
0003735564.tif 000009
【図９】
0003735564.tif 000010